(57)【要約】      （修正有）【課題】ブラインドの個々の羽根の一面に発光素子を設置し、広告等を表示する表示ブラインドを提供する。【解決手段】表示ブラインドは、プリント基板３からなる複数の羽根部２からなり、羽根部２の表面に複数のＬＥＤ素子４を整列配置する。羽根部２がその長手方向の中心線を同一仮想平面内に位置させた状態で配置されており、かつ、この中心線を支点として同時に回転し動く。各羽根部２の正面が１面内になるとき、制御部によってＬＥＤ素子４をオンオフ制御して、表示データを表示する。【選択図】図１
2018055011.tif 000002
【特許請求の範囲】
【請求項１】
互いに平行に配置された２枚以上の長尺状の遮蔽体が長手方向の中心線を同一仮想平面内に位置させた状態で配置されており、かつ、各前記遮蔽体を前記長手方向の中心線を支点として同時に回転させる開閉機構とを備えてなるブラインドにおいて、
前記遮蔽体は長手方向中心線に垂直な断面形状が平行四辺形であり、前記平行四辺形の長辺の平面上に、基板に規則的に配置されている複数の発光素子と、
前記発光素子の電力を供給するために、前記遮蔽体にそれぞれ接続された電線と、
前記遮蔽体にそれぞれ配置された前記発光素子のオンオフを制御する遮蔽体制御手段と、及び、
前記ブラインド全体を制御し前記発光素子を制御する指示を前記遮蔽体制御手段を送信し、複数の前記遮蔽体からなるディスプレイの制御をするためのブラインド制御手段と
からなる表示ブラインド。
【発明の詳細な説明】
【技術分野】
【０００１】
本発明は、ブラインドに発光素子を取り付けた表示ブラインドに関する。詳しくは、ブラインドの遮蔽体に発光素子を取り付け画像・映像等の表示データを表示する表示ブラインドに関する。
【背景技術】
【０００２】
ブラインドは、複数の細長い帯状の板を糸で繋いで、その角度を調整し光をさえぎるためのものである。ブラインドは建物の窓や扉等に取り付け、特に、建物の外側にいる人の視線から屋内を隠すものである。ブラインドは、オフィスの窓に最も多く使われている。ブラインドの素材に金属、木、プラスチック、布等が利用されている。ブラインドは遮蔽体を開閉することで光や風を透過又は遮断して調整するものである。
【０００３】
従来のブラインドは、主に建物の内壁、ガラス窓、ガラスドア、透明壁等に設置されており、これに画像を描き、広告に利用することがある。また、特許文献１は、ＬＥＤ（Light-emitting diode）を用いた垂直又は水平式のブラインド型の表示装置を開示している。このブラインド型表示装置は、建物の窓等に設けられ、ブラインドの羽根に複数の発光モジュールを取り付けて、電光板のような表示装置にしている。
【先行技術文献】
【特許文献】
【０００４】
【特許文献１】特開２００６−１８４５６１号公報
【発明の概要】
【発明が解決しようとする課題】
【０００５】
しかしながら、特許文献１に記載のブラインドは、ブラインドの羽根を平行に調整するときにのみＬＥＤによる画像表示ができるため、ブラインドを閉めたときに画像表示ができないという欠点がある。よって、ブラインドを閉めたときに画像表示できるようなブラインド型の表示装置が求められている。
【０００６】
本発明は上述のような技術背景のもとになされたものであり、下記の目的を達成する。
本発明の目的は、ブラインドの遮蔽体の一面に発光素子を設置した表示ブラインドを提供する。
本発明の他の目的は、ブラインドを閉めたとき遮蔽体に画像や映像等の表示データが表示される表示ブラインドを提供する。
【課題を解決するための手段】
【０００７】
本発明は、前記目的を達成するため、次の手段を採る。
本発明の表示ブラインドは、
互いに平行に配置された２枚以上の長尺状の遮蔽体が長手方向の中心線を同一仮想平面内に位置させた状態で配置されており、かつ、各前記遮蔽体を前記長手方向の中心線を支点として同時に回転させる開閉機構とを備えてなるブラインドにおいて、
前記遮蔽体は長手方向中心線に垂直な断面形状が平行四辺形であり、前記平行四辺形の長辺の平面上に、基板に規則的に配置されている複数の発光素子と、
前記発光素子の電力を供給するために、前記遮蔽体にそれぞれ接続された電線と、
前記遮蔽体にそれぞれ配置された前記発光素子のオンオフを制御する遮蔽体制御手段と、及び、
前記ブラインド全体を制御し前記発光素子を制御する指示を前記遮蔽体制御手段を送信し、複数の前記遮蔽体からなるディスプレイの制御をするためのブラインド制御手段と
からなる。
【発明の効果】
【０００８】
本発明によると、次の効果が奏される。
本発明の表示ブラインドによると、ブラインドの遮蔽体に発光素子を取り付け、ブラインドを閉めたとき、遮蔽体が一面になり１つのディスプレイを構成し、これに表示データが表示されるようになった。
【図面の簡単な説明】
【０００９】
【図１】図１は、本発明の実施形態の表示ブラインド１の羽根部２を図示した図であり、図１（ａ）は羽根部２の正面図、図１（ｂ）は羽根部２の側面図、図１（ｃ）は羽根部２の裏面図である。
【図２】図２は、本発明の実施形態の表示ブラインド１の羽根部２を閉じたときの様子を図示している概念図である。
【図３】図３は、本発明の実施形態の表示ブラインド１の羽根部２を開けたときの様子を図示している概念図である。
【図４】図４は、本発明の実施形態の表示ブラインド１の羽根部２を閉めたときの様子を示す側面図である。
【図５】図５は、本発明の実施形態の表示ブラインド１の羽根部２を開けたときの様子を示す側面図である。
【図６】図６は、本発明の実施形態の表示ブラインド１を窓２０に設置し羽根部２が閉じて表示データを表示する様子を示す図である。
【図７】図７は、本発明の実施形態の表示ブラインド１を窓２０に設置し羽根部２が開き、外部の景色が見える状態を示す図である。
【発明を実施するための形態】
【００１０】
以下、図面を参照して本発明の実施形態を説明する。図１は、本発明の実施形態の表示ブラインド１の羽根部２を図示した図であり、図１（ａ）は羽根部２の正面図、図１（ｂ）は羽根部２の側面図、図１（ｃ）は羽根部２の裏面図である。図２は、表示ブラインド１の羽根部２（ブラインド）を閉じたときの様子を示す概念図である。図３は、表示ブラインド１の羽根部２を開けたときの様子を示す概念図である。図４は、表示ブラインド１の羽根部２を閉めたときの様子を示す側面図で、図５は、表示ブラインド１の羽根部２を開けたときの様子を示す側面図である
【００１１】
羽根部２は、長尺状のプリント基板３、プリント基板３の正面に配列配置した複数のＬＥＤ（Light-emitting diode）素子４、プリント基板３の裏面に配置したドライバＩＣ５等からなる。表示ブラインド１は、２枚以上の羽根部２と、各羽根部２の長手方向の中心線を支点として同時に回転させる開閉機構、各羽根部２の電子部品を制御する制御部７（図３を参照。）等からなる。羽根部２は細長い形状の遮蔽体であり、その上に発光素子を配置し、表示データを表示する。
【００１２】
表示ブラインド１は、２枚以上の羽根部２からなり通常のブラインドと同じように光や風を遮蔽するように機能する。表示ブラインド１は、各羽根部２のＬＥＤ素子４を点灯させることで、画像、映像等の表示データを表示する。２枚上の羽根部２は平行に、かつ、各羽根部２の長手方向の中心線を同一仮想平面内に位置させた状態で配置させている。図１（ａ）に図示したように、羽根部２の正面に複数のＬＥＤ素子４が配列配置されており、ＬＥＤ素子４が点灯するので羽根部２の発光面になる。
【００１３】
これに対して、羽根部２の裏面にはＬＥＤ素子が配置されていないため非発光面となる。ＬＥＤ素子４は、所定の色で発行する発光ダイオード等の発光素子である。ＬＥＤ素子４は所定間隔（ピッチ）で規則的に配列配置されている。ＬＥＤ素子４とそれに隣接するＬＥＤ素子４の間の距離（ピッチ）を小さくすることで、表示される画像の解像度をあげることができる。このピッチは、現場に合わせて適宜調整するものである。
【００１４】
プリント基板３は長尺状、言い換えると細長い長方形の板状のものであり、光を遮断するように機能するため、不透明な材質からなる。例えば、木、金属、プラスチック等の材料からなり、その表面にＬＥＤ素子４を取りつけるために工夫されている。プリント基板３には、電子機器等に利用される任意の基板を利用することができる。例えば、紙にフェノール樹脂を含浸させた紙フェノール基板、紙にエポキシ樹脂を含浸させた紙エポキシ基板、ガラス繊維にエポキシ樹脂を含浸させたガラスコンポジット基板、ガラスエポキシ基板、フッ素樹脂基板、アルミナ（セラミックス）基板等を利用することができる。
【００１５】
プリント基板３の非発光面には、ＬＥＤ素子４を点灯を制御するための専用素子であるドライバＩＣ５が配置されている。ドライバＩＣ５は複数のＬＥＤ素子４をまとめて制御する。ドライバＩＣ５はＬＥＤ素子４に流れる電流を制御することで、ＬＥＤ素子４の発光強度、発光タイミングを制御する。プリント基板５には基板整列用穴６を設けており、この基板整列用穴６に細い線を通してプリント基板３を整列させる。
【００１６】
図５に図示したように、制御部７は、各羽根部２のＬＥＤ素子４とドライバＩＣ５を制御するためのものであり、制御基板８、制御基板８上に配置されたコネクタ９等からなる。制御基板８のコネクタ９は、各羽根部２のコネクタ１０にケーブル１１で接続される。羽根部２はその長手方向の中心線を支点として回転する動きをするが、制御部７は固定されており、そのために羽根部２の回転する動きに支障を与えないように所定の長さのケーブル１１で接続する。
【００１７】
図２は、羽根部２が閉じて一つのディスプレイを構成している様子を図示している。羽根部２がその長手方向の中心線を支点として回転し、発光面が１面に配置される。図中は、羽根部２の発光面が紙面に平行に配置されている。羽根部２の回転は、表示ブラインド１に設けたブラインド用紐１２、１３を引っ張って調整する。
【００１８】
制御部７は羽根部２の配置位置を確認し、羽根部２の発光面が１面に配置されると、画像や映像を流す。図３と図５（ａ）は、羽根部２が開いている様子を図示している。羽根部２がその長手方向の中心線を支点として回転し、発光面が紙面に対して直角に配置される。このとき、制御部７はＬＥＤ素子４を消灯させる。図５（ｂ）は羽根部２が斜めに設置されている様子を示している。羽根部２は全て互いに平行に配置され、羽根部２は平行なままブラインド用紐１２，１３によって回転動きをする。
【００１９】
ブラインド用紐１２、１３を引き、羽根部２の角度を調整する。ブラインド用紐１２は図５に図示するように、ブラインド紐用歯車１４をまたがって設置されており、ブラインド用紐１２ａの下端から引きとブラインドが閉じ、ブラインド用紐１２ｂの下端から引きとブラインドが開く。ブラインド用紐１３も同様である。基板整列用紐１５は図５に図示したように羽根部２の中心を通って設置されている。
【００２０】
〔表示ブラインド１の設置〕
表示ブラインド１を設置した例を図６と図７に図示している。表示ブラインド１は、窓２０のフレーム２１に設置されている。ヘッドボックス２２は、ブラインド紐用歯車１４、制御用ギヤ、壁に固定するためのブラケット等を収納したものであり、汎用のブラインドと基本的に同様の構造であり、詳細な説明は省略する。
【００２１】
図６は、表示ブラインド１の羽根部２が閉じている状態を図示しており、この状態では、外部から窓２０を通して室内に入る光を遮断しており、外部の様子が室内から見えず、外部からも室内の様子が見えない。表示ブラインド１の羽根部２が閉じている状態で、各羽根部２の発光面が全て室内へ向いて配置され、一つのディスプレイを構成している。そして、羽根部２のＬＥＤ素子４が点灯し、画像や映像が表示される。室内から窓を見ると、外部が見えず代わりに羽根部２からなるディスプレイに表示される画像や映像を見る。
【００２２】
図７は、表示ブラインド１の羽根部２が開いている状態を図示しており、この状態では、外部から窓２０を通して室内に入る光を遮断されないので、外部の様子が室内から見える。このように表示ブラインド１の羽根部２が開いている状態では、羽根部２の側面が窓２０の手前に見えるが、外部の景色もみることができる。図７には、窓２０から外部の木が見えている。
【００２３】
制御部７は、図に示されていないが、電源コネクタを介して電源に接続されて動作する。制御部７は、羽根部２の角度を検知する羽根部角度検知部、ディスプレイに表示する映像又は画像を格納する表示データ格納部、ディスプレイに表示する映像又は画像を外部から受信するインターフェース部等を備える。制御部７は中央処理装置やメモリを備え、あらかじめ格納されたプログラムコードにしたがって、制御部７の動作を制御することができる。表示ブラインド１は、静止画像、動画、数字、記号等の任意の電子データを表示する。
【００２４】
制御部７は各羽根部２に設置された複数のドライバＩＣ５に表示データを送信することで、ＬＥＤ素子４に制御する。ＬＥＤ素子４には、任意の発光素子を利用することができるが、フルカラー発光ダイオードが好ましい。フルカラー発光ダイオードは赤、緑、青の３原色の素子が１つのパッケージの中に入っており、１つの素子で３原色を発光できる発光素子である。これらの３原色の素子の色を混ぜることでフルカラーを表現することが可能である。
【００２５】
図２の例では５つの羽根部２を整列させているが、表示ブラインド１を設置する場所の状況に合わせて大きく又は小さくすることができる。例えば、公共のホール等は大型の窓を備えていることが多く、合わせて沢山の羽根部２を整列させ大画面のディスプレイにする。制御部７は、表示ブラインド１の周囲の明るさを検知する明るさ検知器を備え、周囲の明るさに応じてＬＥＤ素子４の発光強度を調整することができる。
【００２６】
〔その他〕
上述したように本発明の実施の形態の表示ブラインド１は、羽根部２がその長手軸で水平に配置されている水平ブラインドである。表示ブラインド１は、羽根部２がその長手軸で垂直に配置されている垂直ブラインドであることができる。本発明の実施の形態の表示ブラインド１は、羽根部２の裏面にＬＥＤ素子を配置させて発光面にし、窓などに外側から映像等が閲覧できるようにすることができる。この場合、ＬＥＤ素子を制御するドライバＩＣ等を配置する層を羽根部２の正面と裏面の間に設けると良い。
【産業上の利用可能性】
【００２７】
本発明は、建築、広告等の画像、映像を表示する分野に利用するとよい。
【符号の説明】
【００２８】
１…表示ブラインド
２…羽根部
３…プリント基板
４…ＬＥＤ素子
５…ドライバＩＣ
６…基板整列用穴
７…制御部
８…制御基板
９，１０…コネクタ
１１…ケーブル
１２，１３…ブラインド用紐
１４…ブラインド紐用歯車
【図１】
2018055011.tif 000003
【図２】
2018055011.tif 000004
【図３】
2018055011.tif 000005
【図４】
2018055011.tif 000006
【図５】
2018055011.tif 000007
【図６】
2018055011.tif 000008
【図７】
2018055011.tif 000009